(57)【要約】      （修正有）【課題】出入口のドアと連動又は手動で出入りする靴入れ装置を提供する。【解決手段】形状と構造はドア底辺の長さを半径とする円の四分の一の扇形のステンレスの部材で作成した靴を入れ置く皿をドア底辺に接続し、開閉時にドアと連動して作動しドアを開くと室内の床下からドア底辺にくっ付いて、室外に出てドアを閉めるとドア底辺にくっ付いて室内床下に入り込むドアに接続が不可能ならドア下の基礎コンクリートや木部を切り開き装置が収納できるスペースを床下に造り室内床下に靴を入れ置いて収納できる手動の引き出し状の装置も設置することができる。【選択図】図１
0003221957.tif 000002
【実用新案登録請求の範囲】
【請求項１】
この装置の設置は床下に収納するという非常に合理的な物である。ドアと連動または手動で簡単に設置でき、室内が靴脱ぎスペース分狭くならない。有効床面積が減らない。部屋内では脱いだ履物が全く見えない。履物の底に付着した土やホコリが室内に侵入しない。風雪や雨や紫外線にさらされないので、それらの影響で履物が傷むことがない。外に脱ぎ置いた履物が強風で吹き飛ばされたり、盗難に遭い無くなる事もない。それに履物が外から全く見えず、スッキリしていて外観上も非常に良い。
【考案の詳細な説明】
【技術分野】
【０００１】
出入口のドアと連動又は手動で出入りする靴入れ装置
【背景技術】
【０００２】
家の出入口で、勝手口等の履物の置き場所は１．室内に靴脱ぎスペースを設置する。か、２．室外に靴を脱ぎ置く。かのどちらかである。１．は室内が靴脱ぎスペース分狭くなり有効床面積が減るし、部屋内で脱いだ履物がまる見えとなり見た目が良くないし、履物の底に付着した土やホコリが室内に侵入する。２．は風雪や雨や紫外線にさらされて履物が傷むし、強風で吹き飛ばされたり、盗難に遭い無くなる事もある。それに外観上もよくない。今までに上記を解決する方法や技術は全く無い。それを一気に解決するために考案した装置である。
【先行技術文献】
【特許文献】
【０００３】
【特許文献１】無し
【非特許文献】
【０００４】
【非特許文献１】無し
【考案の概要】
【考案が解決しようとする課題】
【０００５】
家の出入口で、勝手口等の履物の置き場所は１．室内に靴脱ぎスペースを設置する。か、２．室外に靴を脱ぎ置く。かのどちらかである。１．は室内が靴脱ぎスペース分狭くなり有効床面積が減るし、部屋内で脱いだ履物がまる見えとなり見た目が良くないし、履物の底に付着した土やホコリが室内に侵入する。２．は風雪や雨や紫外線にさらされて履物が傷むし、強風で吹き飛ばされたり、盗難に遭い無くなる事もある。
【課題を解決するための手段】
【０００６】
家の出入口で、勝手口等の履物の置き場所を、ドアの室内側の床下に装置を設置する空間を設け、そこにドアと連動して作動する履物置き装置を設置する。ドアを開くと室外に出るので装置上にある履物がはけるし、また装置上に履物を脱いで室内に入り、ドアを閉めると室内の床下に収納できる履物置き装置である。ドアと非連動で装置に取っ手を付けて手動方式で設置もできる。
【考案の効果】
【０００７】
家の出入口で、勝手口等の履物の置き場所は１．室内に靴脱ぎスペースを設置する。か、２．室外に靴を脱ぎ置く。かのどちらかであった。この装置の設置により、１．の室内が靴脱ぎスペース分狭くならない。有効床面積が減らない。部屋内では脱いだ履物が全く見えない。履物の底に付着した土やホコリが室内に侵入しない。２．の風雪や雨や紫外線にさらされないので、それらの影響で履物が傷むことがない。外に脱ぎ置いた履物が強風で吹き飛ばされたり、盗難に遭い無くなる事もない。それに履物が外から全く見えず、スッキリしていて外観上も非常に良い。
【図面の簡単な説明】
【０００８】
【図１】ドア連動床下靴収納装置        出入口のドアの部屋側に装置が収納できるスペースを床下に確保する。出入口のドアに1/4円形のステンレスで作成した履物収納ＢＯＸをドア下部に取り付ける。形状は円弧部分は出入りに邪魔になるので立ち上げ板は無しとする。それ以外の２辺部分は履物がはみ出さない様に立ち上げ板を設置する。装置の底と２面の立ち上げ板に断熱材を貼れば防寒となり、冬に履物が冷たくならない。室内から外に出る時はドアを開くと履物が乗った装置が外に出てくるので、装置上の履物を履いて外に出てドアを閉めると装置も床下のスペースに入り込む。室外から室内に入るときはドアを開くと履物を脱ぐ装置が出てくる。そこに履物を脱いで部屋に入り、ドアを閉めると、装置も履物を載せて収納スペースに入り込む。
【図２】図面２はドアと連動せずに出入りする都度箱型の装置に付けた取っ手を使って、手動で装置を出し入れする図面である。箱型装置の進行方向と右手側には、履物を履いて出入りするのに邪魔になるので立ち上げを設置しない。
【考案を実施するための形態】
【０００９】
装置はホームセンターで売っているステンレス板や木製やアクリル板その他で簡単に制作できるし費用も安い。新築であれば設計段階で装置の収納スペースを確保しておくことができる。リフォーム時にも工務店と相談して収納スペースを加工してもらえる。ドアに装置を取り付ける方法はビス止め等、工務店に相談できる。
【実施例】
【００１０】
当家で２０１８年９月のリフォーム時に設置する。
【産業上の利用可能性】
【００１１】
ドアメーカーが製品として制作するであろうし、装置は利便性が良く設置利用の可能性は非常に高い。
【符号の説明】
【００１２】
符号無し
【図１】
0003221957.tif 000003
【図２】
0003221957.tif 000004
【手続補正書】
【提出日】平成30年12月20日(2018.12.20)
【手続補正１】
【補正対象書類名】実用新案登録請求の範囲
【補正対象項目名】全文
【補正方法】変更
【補正の内容】
【実用新案登録請求の範囲】
【請求項１】
この装置の設置は床下に収納するという非常に合理的な物である、ドアと連動または手動で簡単に設置でき、室内が靴脱ぎスペース分狭くならない、有効床面積が減らない、部屋内では脱いだ履物が全く見えないし、履物の底に付着した土やホコリが室内に侵入しない、風雪や雨や紫外線にさらされないので、それらの影響で履物が傷むことがない、外に脱ぎ置いた履物が強風で吹き飛ばされたり、盗難に遭い無くなる事もない、それに履物が外から全く見えず、スッキリしていて外観上も非常に良いことを特徴とする、形状と構造はドア底辺の長さを半径とする円の四分の一の扇形のステンレス等の部材で作成した靴を入れ置く皿をドア底辺に接続し、開閉時にドアと連動して作動し、ドアを開くと室内の床下からドア底辺にくっ付いて室外に出て、ドアを閉めるとドア底辺にくっ付いて室内床下に入り込む、ドアに接続が不可能ならドア下の基礎コンクリートや木部等を切り開き装置が収納できるスペースを床下に造り、室内床下に靴を入れ置いて収納できる手動の引き出し状の装置も設置することができるドア連動・手動・床下靴収納装置。
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
形状と構造はドア底辺の長さを半径とする円の四分の一の扇形のステンレス等の部材で作成した靴を入れ置く皿をドア底辺に接続し開閉時にドアと連動して作動しドアを開くと室内の床下からドア底辺にくっ付いて室外に出てドアを閉めるとドア底辺にくっ付いて室内床下に入り込むドアに接続が不可能ならドア下の基礎コンクリートや木部等を切り開き装置が収納できるスペースを床下に造り室内床下に靴を入れ置いて収納できる手動の引き出し状の装置も設置することができるドア連動・手動・床下靴収納装置